(57)【特許請求の範囲】
【請求項１】
電線を挿入可能な電線挿入孔が貫通して形成されるゴム製の電線保持具と、
一端に取付溝が開口して形成され、前記取付溝内に前記電線保持具を挿入可能とされるブラケットとを備えた電線保持構造であって、
前記ブラケットにおける前記取付溝の溝面には、拡開強制部が形成され、
前記電線保持具には、前記取付溝内において前記拡開強制部に当接して強制的に拡開させられることにより、前記取付溝の溝面に係止される拡開変形部が形成されていることを特徴とする電線保持構造。
【請求項２】
前記拡開強制部が前記取付溝の溝面に一体に形成され、前記電線保持具が前記取付溝内に挿入される過程で、前記拡開変形部が前記拡開強制部に当接することを特徴とする請求項１記載の電線保持構造。
【請求項３】
前記ブラケットにおける前記取付溝の溝面には、この溝面に係止された前記拡開変形部が嵌合される係止凹部が形成されていることを特徴とする請求項１又は２記載の電線保持構造。
【請求項４】
前記拡開強制部が、前記取付溝の溝奥に突出して形成され、前記拡開変形部が、前記取付溝に対する前記電線保持具の挿入方向前端部において二股に分かれて形成されていることを特徴とする請求項１ないし３のいずれか１項記載の電線保持構造。
【発明の詳細な説明】
【技術分野】
【０００１】
本発明は、電線保持構造に関する。
【背景技術】
【０００２】
従来の電線保持構造が特許文献１に開示されている。このものは、電線を挿入可能な電線挿入孔が貫通して形成されたゴム製の電線保持具（同文献中、樹脂成型部と呼称）と、電線保持具を挿入可能な取付溝が開口して形成された金属製のブラケット（同文献中、金具と呼称）とを備えている。電線保持具が取付溝内に挿入されると、電線保持具の外周面が取付溝の溝面に弾性的に密着させられ、電線保持具がその弾性復元力によって取付溝内に保持されるようになっている。
【先行技術文献】
【特許文献】
【０００３】
【特許文献１】特開２００９−１６６７０２号公報
【発明の概要】
【発明が解決しようとする課題】
【０００４】
ところで、上記従来の電線保持構造によれば、電線保持具を取付溝内に挿入する際の作業負担を軽減するべく、電線保持具が比較的撓み変形し易い構造になっていた。しかし、そのような構造では、電線保持具が取付溝の溝面にしっかり保持されない懸念があった。
【０００５】
本発明は上記のような事情に基づいて完成されたものであって、電線保持具の保持力を高めることを目的とする。
【課題を解決するための手段】
【０００６】
上記の目的を達成するための手段として、請求項１の発明は、電線を挿入可能な電線挿入孔が貫通して形成されるゴム製の電線保持具と、一端に取付溝が開口して形成され、前記取付溝内に前記電線保持具を挿入可能とされるブラケットとを備えた電線保持構造であって、前記ブラケットにおける前記取付溝の溝面には、拡開強制部が形成され、前記電線保持具には、前記取付溝内において前記拡開強制部に当接して強制的に拡開させられることにより、前記取付溝の溝面に係止される拡開変形部が形成されているところに特徴を有する。
【０００７】
請求項２の発明は、請求項１に記載のものにおいて、前記拡開強制部が前記取付溝の溝面に一体に形成され、前記電線保持具が前記取付溝内に挿入される過程で、前記拡開変形部が前記拡開強制部に当接するところに特徴を有する。
【０００８】
請求項３の発明は、請求項１又は２に記載のものにおいて、前記ブラケットにおける前記取付溝の溝面には、この溝面に係止された前記拡開変形部が嵌合される係止凹部が形成されているところに特徴を有する。
【０００９】
請求項４の発明は、請求項１ないし３のいずれか１項に記載のものにおいて、前記拡開強制部が、前記取付溝の溝奥に突出して形成され、前記拡開変形部が、前記取付溝に対する前記電線保持具の挿入方向前端部において二股に分かれて形成されているところに特徴を有する。
【発明の効果】
【００１０】
＜請求項１の発明＞
電線保持具がブラケットの取付溝内に挿入されると、拡開変形部が拡開強制部と当接して強制的に拡開させられ、これによって拡開変形部が取付溝の溝面に係止されるため、ブラケットに対する電線保持具の保持力を高く確保できる。
【００１１】
＜請求項２の発明＞
拡開強制部が取付溝の溝面に一体に形成され、電線保持具が取付溝内に挿入される過程で、拡開変形部が拡開強制部に当接するため、別体の拡開強制部が取付溝の溝面に後付けされるよりも、作業負担が軽減されるとともに、部品点数が削減される。
【００１２】
＜請求項３の発明＞
拡開変形部が係止凹部に嵌合係止されるため、電線保持具の保持力がより高められる。
【００１３】
＜請求項４の発明＞
拡開強制部が取付溝の溝奥に突出して形成され、拡開変形部が取付溝に対する電線保持具の挿入方向前端部において二股に分かれて形成されているため、全体の構成を比較的簡素にできる。
【図面の簡単な説明】
【００１４】
【図１】本発明の実施形態１に係る電線保持構造において、ブラケットの取付溝内に電線保持具が挿入される前の状態をあらわす正面図である。
【図２】電線保持具の断面図である。
【図３】ブラケットの取付溝内に挿入された電線保持具の断面図である。
【図４】参考例１に係る電線保持構造において、ブラケットの取付溝内に電線保持具が挿入される前の状態をあらわす正面図である。
【図５】ブラケットの側面図である。
【図６】電線保持具の平面図である。
【図７】ブラケットの取付溝内に挿入された電線保持具の断面図である。
【図８】参考例２に係る電線保持構造の正面図である。
【発明を実施するための形態】
【００１５】
＜実施形態１＞
本発明の実施形態１を図１ないし図３によって説明する。実施形態１に係る電線保持構造１０は、自動車に装備されたＡＢＳ（アンチロックブレーキシステム）の車輪速センサから延びる電線８０を保持するための構造を例示するものであって、電線保持具２０とブラケット４０とを備えている。
【００１６】
ブラケット４０は金属製の板材であって、図１に示すように、その上縁に取付溝４１が開口して形成されている。ブラケット４０の取付溝４１内には上方から電線保持具２０が挿入される。取付溝４１の開口側の幅方向両側縁には、一対の係止部４２が内向きに突出して形成されている。取付溝４１の開口側の幅寸法は、両係止部４２によって奥側の幅寸法よりも小さくされている。両係止部４２の上面は、電線保持具２０の挿入方向となる下向きに傾斜する案内面４３とされ、両係止部４２の下面は、ほぼ水平（電線保持具２０の挿入方向と直交する方向）に沿った係止面４４とされている。
【００１７】
ブラケット４０における取付溝４１の下面（奥面）には、拡開強制部４５が一体に形成されている。拡開強制部４５は、略三角形状をなし、取付溝４１の下面の幅方向中央部から上方（開口側）へ向けて突出する形態とされている。
また、ブラケット４０における取付溝４１の下面には、拡開強制部４５を挟んだ両側に、幅方向両端へ向けて上り勾配となる左右一対の第１斜面４６が形成されている。そして、ブラケット４０における取付溝４１の両側面には、取付溝４１の下端部から下方へ向けて取付溝４１の溝幅を広げるように拡開する左右一対の第２斜面４７が形成されている。両第２斜面４７の下端は両第１斜面４６の上端に連なり、両第１斜面４６の下端は拡開強制部４５の下端に連なっている。
【００１８】
そして、ブラケット４０における取付溝４１の奥側の溝面には、第１、第２斜面４６、４７によって区画されてなる左右一対の係止凹部４８が凹み形成されている。両係止凹部４８は、電線保持具２０に形成された拡開変形部２５（後述する）が拡開されたときに、この拡開変形部２５が嵌合するような拡開状に形成されている。
【００１９】
続いて電線保持具２０について説明すると、電線保持具２０はゴム製であって、前後両面がほぼ平坦な扁平ブロック状をなしている。電線保持具２０の略中央部には、電線８０を挿入可能な小円形の電線挿入孔２１が前後に貫通して形成されている。電線８０は電線挿入孔２１内に弾性的に保持されるようになっている。
【００２０】
電線保持具２０の前後方向中央部（厚み方向中央部）には、ブラケット４０の取付溝４１内に挿入される挿入本体部２２が形成されている。挿入本体部２２は、ブラケット４０と対応する厚みをもった板状をなし、図２に示すように、その上端両角部に、左右一対の被係止部２３が凹み形成されている。両被係止部２３は、断面矩形状をなし、電線保持具２０の上端に開口するとともに、電線保持具２０の側縁に開口する形態とされている。
【００２１】
また、電線保持具２０の下端部（取付溝４１に対する電線保持具２０の挿入方向前端部）には、その幅方向中央部に、高さ方向（取付溝４１内への電線保持具２０の挿入方向）に延びて下端に開口するスリット２４が形成され、かつスリット２４を挟んだ両側に、左右一対の拡開変形部２５が二股に分かれて形成されている。両拡開変形部２５は、スリット２４の開口幅を広げる向きに拡開変形可能とされている。両拡開変形部２５が自然状態にあるときに、電線保持具２０のスリット２４は、下端に向けて極僅かに拡幅する形態とされ、その下端の開口幅が拡開強制部４５の裾幅よりも小さくされている。なお、電線保持具２０及び取付溝４１は、いずれも幅方向中央を挟んで左右対称な形状とされている。
【００２２】
次に、ブラケット４０に電線保持具２０を装着する際の動作を具体的に説明する。
図１に示すように、ブラケット４０の取付溝４１の上方に電線保持具２０を正対して配置する。その状態で電線保持具２０を引き下げて取付溝４１内に挿入する。挿入の過程では、挿入本体部２２の両側面が両係止部４２の案内面４３を摺動して弾性的に撓み変形させられる。挿入の終盤段階では、電線保持具２０のスリット２４に下方から拡開強制部４５が進入して、スリット２４が拡幅させられる。同時に、両拡開変形部２５が拡開強制部４５の両側外縁を摺動しつつ幅方向両側へ強制的に拡開させられ、図３に示すように、両拡開変形部２５の先端角部が両係止凹部４８内に嵌合される。こうして電線保持具２０が取付溝４１内に正規挿入されると、両係止凹部４８の第２斜面４７が両拡開変形部２５の両側外面に斜め上方から当接可能に配置される。また、電線保持具２０が取付溝４１内に正規挿入されると、電線保持具２０の両被係止部２３内にブラケット４０の両係止部４２が弾性的に嵌合され、両係止部４２の係止面４４が両被係止部２３の内下面に上方から当接可能に配置される。これらによって電線保持具２０が取付溝４１内から抜け出るのが確実に防止される。なお、電線保持具２０がブラケット４０の取付溝４１内に正規挿入された状態では、挿入本体部２２の略全体が取付溝４１内にほぼ密嵌されるようになっている。
【００２３】
以上説明したように、本実施形態によれば、電線保持具２０が取付溝４１内に挿入されると、電線保持具２０の拡開変形部２５がブラケット４０の拡開強制部４５と当接して強制的に拡開させられ、これによって拡開変形部２５が取付溝４１の溝面に係止されるため、ブラケット４０に対する電線保持具２０の保持力を高く確保できる。
【００２４】
また、拡開強制部４５が取付溝４１の溝面に一体に形成され、電線保持具２０が取付溝４１内に挿入される過程で、拡開変形部２５が拡開強制部４５に当接するため、別体の拡開強制部４５が取付溝４１の溝面に後付けされるよりも、作業負担が軽減されるとともに、部品点数が削減される。
【００２５】
さらに、拡開変形部２５が係止凹部４８に嵌合係止されるため、電線保持具２０の保持力がより高められる。しかも、拡開強制部４５が取付溝４１の溝奥に突出して形成され、拡開変形部２５が取付溝４１に対する電線保持具２０の挿入方向前端部において二股に分かれて形成されているため、全体の構成を比較的簡素にできる。
【００２６】
＜参考例１＞
以下、参考例１を図４ないし図７によって説明する。参考例１に係る電線保持構造１０Ａは、実施形態１と同様、電線保持具２０Ａとブラケット４０Ａとを備えている。
【００２７】
ブラケット４０Ａは金属製の板材であって、図４に示すように、その上縁に取付溝４１Ａが開口して形成されている。取付溝４１Ａは、断面略Ｕ字状をなし、その内部に電線保持具２０Ａを挿入可能とされている。また、ブラケット４０Ａの上端部には、取付溝４１Ａを挟んだ幅方向両側に、片持ち梁状の一対の係止片５１が撓み可能に突出して形成されている。両係止片５１は、一端が取付溝４１Ａの両側縁に開口する略Ｌ字形のスリット５２の内側に配置された板片部分を、ブラケット４０Ａの板厚方向へ鋭角（斜め下向き）に切り起こしてなる板バネとして構成される。ここでは、図５に示すように、両係止片５１は、互いに逆方向に切り起こされ、ブラケット４０Ａの表裏両側に突出する形態とされている。
【００２８】
電線保持具２０Ａはゴム製であって、前後両面がほぼ平坦な扁平ブロック状をなしている。電線保持具２０Ａの略中央部には、図４に示すように、電線８０を挿入可能な小円形の電線挿入孔２１Ａが前後に貫通して形成されている。電線８０は電線挿入孔２１Ａ内に弾性的に保持されるようになっている。
【００２９】
そして、電線保持具２０Ａは、ブラケット４０Ａの取付溝４１Ａ内に挿入される挿入本体部２２Ａと、挿入本体部２２Ａを挟んだ前後両側に一体に連なる一対の対向板部２６とを備えている。挿入本体部２２Ａは、断面略Ｕ字形をなし、取付溝４１Ａ内に挿入されてその外周縁が取付溝４１Ａの溝面に密着させられる。両対向板部２６は、挿入本体部２２Ａよりも一回り大きい断面略Ｕ字形をなし、取付溝４１Ａの前後開口を覆うように取付溝４１Ａの開口縁部に沿って配置される。
【００３０】
両対向板部２６の内面（対向面）には、両係止片５１と対応する位置に、それぞれ係止受け部２７が凹み形成されている。図６に示すように、両係止受け部２７は、両対向板部２６の内面及び取付溝４１Ａに開口する有底の角孔であって、図６に示すように、電線保持具２０Ａの軸芯を中心とする略点対称の位置に配置されている。
【００３１】
電線保持具２０Ａがブラケット４０Ａの取付溝４１Ａ内に挿入される過程では、両係止片５１が両対向板部２６の内面を摺動して撓み変形させられる。その後、電線保持具２０Ａが取付溝４１Ａ内に正規挿入されると、図７に示すように、両係止片５１が両係止受け部２７と対応する位置に至り、両係止片５１が弾性的に復帰して両係止受け部２７に嵌り込む。すると、両係止片５１の先端が両係止受け部２７の内下面に上方から当接可能に配置される。このため、電線保持具２０Ａが取付溝４１Ａから抜け出るのが防止される。なお、上記とは逆に、係止片５１を電線保持具２０Ａに形成し、係止受け部２７をブラケット４０Ａに形成することも可能である。
【００３２】
このように参考例１によれば、ブラケット４０Ａと電線保持具２０Ａのいずれか一方に、一対の係止片５１が撓み可能に突出して形成され、他方に、一対の係止受け部２７が凹み形成され、電線保持具２０Ａがブラケット４０Ａの取付溝４１Ａ内に挿入される過程では係止片５１が他方と当接して撓み変形させられ、電線保持具２０Ａが取付溝４１Ａ内に正規挿入された状態では、係止片５１が弾性的に復帰して係止受け部２７内に嵌ってこれを係止する構成となっている。このため、電線保持具２０Ａがブラケット４０Ａの取付溝４１Ａ内に挿入される過程では、係止片５１の撓み動作によって電線保持具２０Ａの挿入力を低減できる。一方、電線保持具２０Ａが取付溝４１Ａ内に正規挿入された状態では、係止片５１が係止受け部２７を弾性的に係止することで電線保持具２０Ａの保持力を高く確保することができる。
【００３３】
＜参考例２＞
以下、参考例２を図８によって説明する。参考例に係る電線保持構造１０Ｂも、実施形態１と同様、電線保持具２０Ｂとブラケット４０Ｂとを備えている。
【００３４】
ブラケット４０Ｂは金属製であって、その側縁に取付溝４１Ｂが開口して形成されている。取付溝４１Ｂは、略Ｌ字形に屈曲して延びる形態とされ、ブラケット４０Ｂの側縁から略水平に延びる第１挿入路５５と、第１挿入路５５の延出端から略垂直に延びる第２挿入路５６とを有している。取付溝４１Ｂの両側内面には、第１挿入路５５の入り口に、一対の第１掛止部５７が内向きに突出して形成され、さらに第１、第２挿入路５５、５６の間に、一対の第２掛止部５８が内向きに突出して形成されている。第２挿入路５６は、両第２掛止部５８で区画されることによって挿入本体部２２Ｂの外周に沿った断面円弧状に形成されている。
【００３５】
電線保持具２０Ｂはゴム製であって、その中心に電線８０を挿入可能な電線挿入孔２１Ｂが貫通して形成されている。そして、電線保持具２０Ｂは、挿入本体部２２Ｂと、挿入本体部２２Ｂを挟んだ前後両側に一体に連なる一対の対向板部２６Ｂとを備えている。挿入本体部２２Ｂは、円板状をなし、取付溝４１Ｂ内に挿入されてその外周縁が取付溝４１Ｂの溝面に密着させられる。両対向板部２６Ｂは、挿入本体部２２Ｂよりも一回り大きい円板状をなし、取付溝４１Ｂの前後開口を覆うように取付溝４１Ｂの開口部に沿って配置される。なお、参考例２の場合、既存の電線保持具２０Ｂを流用可能である。
【００３６】
ここで、電線保持具２０Ｂは、両第１掛止部５７を弾性的に乗り越えつつ略水平に移動させられて取付溝４１Ｂの第１挿入路５５の内奥にいったん収容される。次いで、電線保持具２０Ｂは、両第２掛止部５８を弾性的に乗り越えつつ略垂直に移動させられて取付溝４１Ｂの第２挿入路５６の内奥に収容される。第２挿入路５６内に収容された電線保持具２０Ｂは両第２掛止部５８に掛け止められ、これによって電線保持具２０Ｂの第１挿入路５５側への戻り移動が規制される。参考例２によれば、電線保持具２０Ｂを取付溝４１Ｂ内から抜出させる場合に、電線保持具２０Ｂの移動方向を途中で略直角に変更させねばならない。このため、電線保持具２０Ｂが取付溝４１Ｂ内から容易に抜け出るのが防止される。
【００３７】
＜他の実施形態＞
本発明は上記記述及び図面によって説明した実施形態に限定されるものではなく、例えば次のような実施形態も本発明の技術的範囲に含まれる。
（１）実施形態１では、ブラケットとは別体の拡開強制部が取付溝の溝面に後付けで装着されるものであってもよい。
（２）実施形態１では、係止部及び被係止部を省略することも可能である。係止部、被係止部を省略すれば、電線保持具が取付溝内に挿入される際にその挿入抵抗を小さく抑えることができる。
（３）実施形態１では、係止凹部を省略することも可能である。係止凹部を省略する場合、拡開変形部が拡開強制部で強制的に拡開されると、拡開変形部の先端部が取付溝の溝面に緊密に押し当てられ、その摩擦抵抗によって電線保持具の保持力が確保される。
（４）本発明は、電線を保持する電線保持構造に広く適用可能であり、例えば、自動車におけるスライドドア等の可動部に接続される電線を保持する際にも好適に用いることができる。
【符号の説明】
【００３８】
１０…電線保持構造
２０…電線保持具
２１…電線挿入孔
２５…拡開変形部
４０…ブラケット
４１…取付溝
４５…拡開強制部
４８…係止凹部
８０…電線
【図１】
0005633420.tif 000002
【図２】
0005633420.tif 000003
【図３】
0005633420.tif 000004
【図４】
0005633420.tif 000005
【図５】
0005633420.tif 000006
【図６】
0005633420.tif 000007
【図７】
0005633420.tif 000008
【図８】
0005633420.tif 000009